(57)【要約】本発明は、マルチキャリア通信ネットワークシステムにおいてダウンリンク電力を制御するための方法及び装置に関する。通信ネットワークシステムは、無線インタフェースを介してアップリンク(17)及びダウンリンク(16)上で複数のユーザ端末(18)と通信する通信ネットワークノード(15)を有する。複数のダウンリンクキャリアのための電力制御をサポートするために、ダウンリンク送信電力制御コマンドが、少なくとも１つのアップリンク制御チャネル上で送信される。各送信電力制御コマンドは、ユーザ端末(18)及び通信ネットワークノード(15)に既知な、予め定められた符号語が割り当てられる。あるいは／さらに、使用されるダウンリンクキャリア及びアップリンクキャリアの数に基づいて異なる数の送信電力制御コマンドを統合するために、ユーザ端末(18)及び通信ネットワークノード(15)に既知な、予め定められた異なるスロットフォーマットが用いられる。
2011520348.tif 000002
【特許請求の範囲】
【請求項１】
無線インタフェースを介してアップリンクキャリア(17)及びダウンリンクキャリア(16)上で複数のユーザ端末と通信する通信ネットワークノード(15)を有するマルチキャリア通信ネットワークシステムにおいてダウンリンク電力を制御するための、ユーザ端末(18)における方法であって、
複数のダウンリンクキャリアに対する電力制御をサポートするために、少なくともダウンリンク送信電力制御コマンドを少なくとも１つのアップリンク制御チャネル上で送信するステップを有することを特徴とする方法。
【請求項２】
送信電力制御コマンドの各々に、前記ユーザ端末及び前記通信ネットワークノードに既知な、予め定められた符号語を割り当てるステップをさらに有することを特徴とする請求項１記載の方法。
【請求項３】
前記符号語の長さが、使用されるダウンリンクキャリア及びアップリンクキャリアの数に依存することを特徴とする請求項２記載の方法。
【請求項４】
前記ダウンリンク送信電力制御コマンドの送信に複数のアップリンクキャリアが用いられる場合、前記アップリンクキャリアの各々は、少なくとも２つのダウンリンクキャリアをサポートすることを特徴とする請求項２記載の方法。
【請求項５】
前記少なくとも１つのアップリンク制御チャネルにおいて、前記符号語はパイロットビットと多重化されることを特徴とする請求項２記載の方法。
【請求項６】
使用されるダウンリンクキャリア及びアップリンクキャリアの数に基づいて異なる数の送信電力制御コマンドを統合するために、異なる予め定められたスロットフォーマットを用いるステップをさらに有し、それにより、前記予め定められたスロットフォーマットが前記ユーザ端末及び前記通信ネットワークノードに既知となることを特徴とする請求項１記載の方法。
【請求項７】
前記使用されるダウンリンクキャリア及びアップリンクキャリアの数に応じて、前記スロットフォーマットを動的に選択するステップをさらに有することを特徴とする請求項６記載の方法。
【請求項８】
さらに、
送信電力制御コマンドの各々に、前記ユーザ端末及び前記通信ネットワークノードに既知な、予め定められた符号語を割り当てるステップと、
使用されるダウンリンクキャリア及びアップリンクキャリアの数に基づいて異なる数の送信電力制御コマンドを統合するために、異なる予め定められたスロットフォーマットを用いるステップをさらに有し、それにより、前記予め定められたスロットフォーマットが前記ユーザ端末及び前記通信ネットワークノードに既知となることを特徴とする請求項１記載の方法。
【請求項９】
前記マルチキャリア通信ネットワークシステムが、CDMA技術に基づくことを特徴とする請求項１記載の方法。
【請求項１０】
前記マルチキャリア通信ネットワークシステムが、HSDPA、HSUPA、又はHSPA技術に基づくことを特徴とする請求項１記載の方法。
【請求項１１】
無線インタフェースを介してアップリンクキャリア(17)及びダウンリンクキャリア(16)上で複数のユーザ端末と通信する通信ネットワークノード(15)を有するマルチキャリア通信ネットワークシステムにおいてダウンリンク電力を制御するための、ユーザ端末(18)内の装置であって、
複数のダウンリンクキャリアに対する電力制御をサポートするために、少なくともダウンリンク送信電力制御コマンドを少なくとも１つのアップリンク制御チャネル上で送信するように構成される送信手段(56)を有することを特徴とする装置。
【請求項１２】
送信電力制御コマンドの各々に、前記ユーザ端末(18)及び前記通信ネットワークノード(15)に既知な、予め定められた符号語を割り当てるように構成される処理手段(58)をさらに有することを特徴とする請求項１１記載の装置。
【請求項１３】
前記処理手段(58)が、使用されるダウンリンクキャリア及びアップリンクキャリアの数に応じて前記符号語の長さを与えるように構成されることを特徴とする請求項１２記載の装置。
【請求項１４】
前記送信手段(56)が前記ダウンリンク送信電力制御コマンドの送信に複数のアップリンクキャリアを用いるように構成される場合、前記アップリンクキャリアの各々は、少なくとも２つのダウンリンクキャリアをサポートするように構成されることを特徴とする請求項１２記載の装置。
【請求項１５】
前記処理手段(58)がさらに、前記少なくとも１つのアップリンク制御チャネルにおいて、前記符号語をパイロットビットと多重化するように構成されることを特徴とする請求項１２記載の装置。
【請求項１６】
前記装置が、使用されるダウンリンクキャリア及びアップリンクキャリアの数に基づいて異なる数の送信電力制御コマンドを統合するために、異なる予め定められたスロットフォーマットを用いるように構成される処理手段(58)をさらに有し、それにより、前記予め定められたスロットフォーマットが前記ユーザ端末(18)及び前記通信ネットワークノード(15)に既知となることを特徴とする請求項１１記載の装置。
【請求項１７】
前記処理手段(58)がさらに、前記使用されるダウンリンクキャリア及びアップリンクキャリアの数に応じて前記スロットフォーマットを動的に選択するように構成されることを特徴とする請求項１６記載の装置。
【請求項１８】
さらに、
送信電力制御コマンドの各々に、前記ユーザ端末(18)及び前記通信ネットワークノード(15)に既知な、予め定められた符号語を割り当て、
使用されるダウンリンクキャリア及びアップリンクキャリアの数に基づいて異なる数の送信電力制御コマンドを統合するために、異なる予め定められたスロットフォーマットを用いる、ように構成される処理手段(58)をさらに有し、それにより、前記予め定められたスロットフォーマットが前記ユーザ端末及び前記通信ネットワークノードに既知となることを特徴とする請求項１１記載の装置。
【請求項１９】
前記マルチキャリア通信ネットワークシステムが、CDMA技術に基づくことを特徴とする請求項１１記載の装置。
【請求項２０】
前記マルチキャリア通信ネットワークシステムが、HSDPA、HSUPA、又はHSPA技術に基づくことを特徴とする請求項１１記載の装置。
【発明の詳細な説明】
【技術分野】
【０００１】
本発明はマルチキャリア通信ネットワークシステムに関し、特には、マルチキャリア通信ネットワークシステムにおけるダウンリンク電力を制御する装置およびそのような制御のための方法に関する。
【背景技術】
【０００２】
複数の5MHz周波数ブロック（「キャリア」）上での広帯域符号分割多元アクセス／高速パケットアクセス(WCDMA/HSPA)のオペレーションは、WCDMA及びHSPAを進化させる１つのステップである。このオペレーションモードはしばしばマルチキャリアWCDMA又はマルチキャリアHSPAと呼ばれるが、以下では、「マルチキャリアHSPA」と呼ぶ。
【０００３】
周波数分割多重(FDD)を用いるマルチキャリア装置は、一式のアップリンク(UL)キャリアにリンクされた一式のダウンリンク(DL)キャリアとして説明できるであろう。複数のダウンリンクキャリアは周波数ドメイン内で隣接してもしなくてもよく、アップリンクキャリアについても同様である。より一般的には、複数のキャリアは同一周波数帯に存在しなくてもよく、マルチキャリアオペレーションの一部としてTDD帯を用いてもよい。
【０００４】
マルチキャリア装置はまた、アップリンクキャリアの数とダウンリンクキャリアの数が異なっていてもよい。
【０００５】
同期外れ検出は、ダウンリンク上に送信されたアップリンク送信電力制御(TPC)コマンドを搬送するフラクショナル個別物理チャネル(F-DPCH)に基づく。マルチキャリアHSPAシステムにおいて、複数のフラクショナル個別物理チャネル(F-DPCH)を異なるDLキャリア上で用いることの動機は、干渉とフェーディングがいずれも独立しているため、信頼できる同期外れ検出を各キャリア上で独立して行えるようにするためである。いくつかのダウンリンクキャリアが存在する際にアンカーキャリアのみに基づいて同期外れ検出を行うと、ユーザパフォーマンスを低下させる不必要な無線リンク障害の原因となりうる。
【０００６】
WCDMA及びHSPAシステムは、ダウンリンク電力を制御するための仕組みを利用している。この仕組みでは、ダウンリンク個別チャネル（例えばF-DPCH及び他のR99 DPCH）送信電力を制御するためにTPCコマンドがアップリンク上で送信される。ダウンリンク上で複数のF-DPCHを用いる場合、それらF-DPCHについてどのようにしてアップリンク上でTPCコマンドを搬送するかという問題が生じるであろう。１つの簡単な方法は、アップリンク上の複数のUL個別物理制御チャネル(DPCCH)を用いることであろう。しかし、UEが１つのF-DPCHを用いて１つのキャリアからデータを受信する場合もあれば、複数キャリアからデータを受信する場合もあるため、電力消費や頻繁な物理チャネル設定及び解放といった観点ではコストが高く付くであろう。アップリンクにおいて複数のチャネライゼーション符号にマッピングされる複数のDPCCHを用いることの別の問題点は、アップリンクにおける平均電力／最大電力比(peak to average power ratio)の増加である。その結果、隣接チャネル漏えい比(ACLR)のような無線送信器条件を満たすために、UEに最大電力をさらに削減することを要求するかもしれない。もっと簡単に言えば、複数のDPCCHの利用は、カバレージ損失の原因となるアップリンク電力バックオフの増加を招きうる。
【発明の概要】
【０００７】
従って、本発明の実施形態の一目的は、複数のユーザ端末と無線インタフェースを介してアップリンク及びダウンリンクキャリア上で通信する通信ネットワークノードを有するマルチキャリア通信ネットワークシステム、においてダウンリンク電力を制御するための、改善された方法及び装置を提供することにある。
【０００８】
本発明の実施形態の第１の見地によれば、この目的は、複数のダウンリンクキャリアのための電力制御をサポートするためにダウンリンク電力制御コマンドを少なくとも１つのアップリンク制御チャネル上で送信するステップを実行する方法によってダウンリンク電力が制御されることを特定する、請求項１の特徴部分において規定されるような方法を通じて実現される。
【０００９】
本発明の実施形態の第２の見地によれば、この目的は、複数のダウンリンクキャリアのための電力制御をサポートするためにダウンリンク電力制御コマンドを少なくとも１つのアップリンク制御チャネル上で送信するステップを実行する方法であって、各送信電力制御コマンドが、前記ユーザ端末及び前記通信ネットワークノードに既知な、予め定められた符号語に割り当てられている方法、によってダウンリンク電力が制御されることを特定する、請求項２の特徴部分において規定されるような方法を通じて実現される。
【００１０】
本発明の実施形態の第３の見地によれば、この目的は、複数のダウンリンクキャリアのための電力制御をサポートするためにダウンリンク電力制御コマンドを少なくとも１つのアップリンク制御チャネル上で送信するステップを実行する方法であって、使用されるダウンリンクキャリア及びアップリンクキャリアの数に基づいて異なる数の送信電力制御コマンドを統合するために、前記ユーザ端末及び前記通信ネットワークノードに既知な、予め定められた異なるスロットフォーマットが用いられる方法、によってダウンリンク電力が制御されることを特定する、請求項６の特徴部分において規定されるような方法を通じて実現される。
【００１１】
本発明の実施形態の第４の見地によれば、この目的は、複数のダウンリンクキャリアのための電力制御をサポートするためにダウンリンク電力制御コマンドを少なくとも１つのアップリンク制御チャネル上で送信するステップを実行する方法であって、各送信電力制御コマンドが、前記ユーザ端末及び前記通信ネットワークノードに既知な、予め定められた符号語に割り当てられているとともに、使用されるダウンリンクキャリア及びアップリンクキャリアの数に基づいて異なる数の送信電力制御コマンドを統合するために、前記ユーザ端末及び前記通信ネットワークノードに既知な、予め定められた異なるスロットフォーマットが用いられる方法、によってダウンリンク電力が制御されることを特定する、請求項８の特徴部分において規定されるような方法を通じて実現される。
【００１２】
本発明の実施形態の第５の見地によれば、この目的は、複数のダウンリンクキャリアのための電力制御をサポートするためにダウンリンク電力制御コマンドを少なくとも１つのアップリンク制御チャネル上で送信するように構成される送信手段を有する装置によってダウンリンク電力が制御されることを特定する、請求項１１の特徴部分において規定されるようなユーザ端末内の装置を通じて実現される。
【００１３】
本発明の実施形態の第６の見地によれば、この目的は、以下の構成を有する装置によってダウンリンク電力が制御されることを特定する、請求項１２の特徴部分において規定されるようなユーザ端末内の装置を通じて実現される。
複数のダウンリンクキャリアのための電力制御をサポートするために、ダウンリンク送信電力制御コマンドを少なくとも１つのアップリンク制御チャネル上で送信するように構成される送信手段と、
各送信電力制御コマンドを、前記ユーザ端末及び前記通信ネットワークノードに既知な、予め定められた符号語に割り当てるように構成される処理手段。
【００１４】
本発明の実施形態の第７の見地によれば、この目的は、以下の構成を有する装置によってダウンリンク電力が制御されることを特定する、請求項１６の特徴部分において規定されるようなユーザ端末内の装置を通じて実現される。
複数のダウンリンクキャリアのための電力制御をサポートするために、ダウンリンク送信電力制御コマンドを少なくとも１つのアップリンク制御チャネル上で送信するように構成される送信手段と、
使用されるダウンリンクキャリア及びアップリンクキャリアの数に基づいて異なる数の送信電力制御コマンドを統合するために、前記ユーザ端末及び前記通信ネットワークノードに既知な、予め定められた異なるスロットフォーマットを用いるように構成される処理手段。
【００１５】
本発明の実施形態の第８の見地によれば、この目的は、以下の構成を有する装置によってダウンリンク電力が制御されることを特定する、請求項１８の特徴部分において規定されるようなユーザ端末内の装置を通じて実現される。
複数のダウンリンクキャリアのための電力制御をサポートするために、ダウンリンク送信電力制御コマンドを少なくとも１つのアップリンク制御チャネル上で送信するように構成される送信手段と、
各送信電力制御コマンドを、前記ユーザ端末及び前記通信ネットワークノードに既知な、予め定められた符号語に割り当てるとともに、使用されるダウンリンクキャリア及びアップリンクキャリアの数に基づいて異なる数の送信電力制御コマンドを統合するために、前記ユーザ端末及び前記通信ネットワークノードに既知な、予め定められた異なるスロットフォーマットを用いるように構成される処理手段。
【００１６】
さらなる実施形態は、従属請求項に列挙されている。
【００１７】
ダウンリンクTPCコマンドをマルチキャリアシステムにおけるアップリンク上で送信する方法及び装置の提供により、アップリンクシグナリングコストをダウンリンクF-DPCH性能とを柔軟に引き替えることが可能になる。さらに、複数のダウンリンクF-DPCHに対するTPCコマンドを同一UL DPCCH上で送信することにより、UL DPCCHをデコードするためにノードＢで必要となるハードウェア資源が、ダウンリンクF-DPCH毎に個別のUL DPCCHを用いる状況と比較して削減される。さらに、UL DPCCHについての過度の電力の必要性が回避できるであろうことから、システムカバレージ及び容量が増加する。
【００１８】
本発明の実施形態のさらに別の目的及び特徴は、以下の詳細な説明を添付図面と共に検討することにより明らかになるであろう。しかしながら、添付図面は特許請求の範囲を参照すべき本発明の境界を規定するためではなく、例示のみを目的として記載されたものであることを理解されたい。また、特に記載のない限り、添付図面は必ずしも正確な縮尺で記載されておらず、本明細書で説明される構成及び手順を概念的に説明することのみを意図したものであることを理解されたい。
【図面の簡単な説明】
【００１９】
【図１】本発明の実施形態に係る通信ネットワークアーキテクチャを示す図である。
【図２】本発明の第１の実施形態のフローチャートである。
【図３】本発明の第２の実施形態のフローチャートである。
【図４】本発明の第３の実施形態のフローチャートである。
【図５】通信ネットワークノードと通信する、本発明に係るユーザ端末のブロック図である。
【発明を実施するための形態】
【００２０】
よりよい理解のため、以下の図面ならびに本発明の好ましい実施形態について説明する。添付図面において、同様の参照文字は複数の図面を通じて同様の要素を示している。
図１は、１つ又は複数の無線ネットワークコントローラ(RNC)１０に接続された少なくとも１つの無線基地局(RBS)（ｅノードＢ又はｅードＢ）１５（図１では２つのみを図示している）を有する、UMTS地上無線アクセスネットワーク(UTRAN)アーキテクチャのような無線アクセスネットワーク(RAN)を含んだ通信システムを示している。RANはコアネットワーク(CN)１２に接続されている。RAN及びCN１２は、各々がダウンリンク(DL)チャネル１６とアップリンク(UL)チャネル１７を用いる複数のユーザ端末(UE)１８に対して通信及び制御を提供する。明確さのために、アップリンクチャネルとダウンリンクチャネルの１つについてのみ参照数字１６および１７を付している。ダウンリンクチャネル１６上で、RBS１５は各ユーザ端末１８へ、個々の電力レベルで送信する。アップリンクチャネル１７上で、ユーザ端末１８は、個々の電力レベルでRBS１５へデータを送信する。
【００２１】
本発明の好ましい実施形態に従い、ここでは通信システムをHSPA通信システムとして説明する。しかし、当業者が理解するように、本発明の方法及び装置は、LTE (Long Term Evolution)システム、WiMax、UTRA TDD、等のような、他のパケットベース通信システムにおいても非常にうまく機能する。ユーザ端末１８は移動体電話機（”セルラ”電話機）のような移動機および、移動端末機能(mobile termination)を有するラップトップコンピュータであってよく、従って、音声及び／又はデータをRANと通信する、ポータブル、ポケット、ハンドヘルド、コンピュータ内蔵型、又は車載型の移動体デバイスであってよい。
【００２２】
本発明の実施形態は、マルチキャリアHSPAシステムにおいて、アップリンク上でダウンリンクTPCコマンドを搬送するための仕組みおよび処理を説明する。より具体的には、複数のキャリアに対するDL電力制御をサポートし、できる限りのULチャネル推定品質（通常はパイロットシンボルで測定される）を保証し、さらに、それと同時にDL TPCコマンドを保護するために、１つのUL DPCCHが用いられる。
【００２３】
ユーザ端末１８は、ダウンリンクDPCH送信電力を制御するため、アップリンク制御チャネルを介してノードB１５にダウンリンクTPCコマンドを送信する。
【００２４】
本発明の第１の実施形態によれば、異なるアップ／ダウンTPCコマンドの組み合わせを示すために、異なる符号語が用いられる。従って、アップ／ダウンTPCコマンドの組み合わせの各々が、特定の符号語に割り当てられる。使用されるキャリア数に応じて、異なる符号語長が用いられる。例えば、最大２DLキャリア及び１ULキャリアの場合を仮定すると、４つのアップ／ダウンを示す組み合わせを表すため、２ビットの符号語を用いることができるであろう。ノードＢが１つのUEについて１つのキャリアのみを用いる場合、２ビットの符号語は１回のDL TPCコマンド搬送について、送信に２つのキャリアを用いる場合よりも高い保護を与える。
【００２５】
従って、符号語のビット数が多いほど、TPCコマンドに対する保護も高くなる。複数のULキャリア（例えば、4DL、2UL）が用いられる場合、各UL DPCCHは２つのDLキャリアをサポートすることができる。つまり、１つのDPCCHは２つのDLキャリアについてのDL TPCコマンドを搬送することができる。従来通り、TPCコマンドは、１つのUL DPCCHタイムスロットにおいて、個別アップリンクパイロットビットと時分割多重される。
【００２６】
表１は、アップ／ダウンTPCコマンドの組み合わせと、異なる符号語とのマッピングの例を示している。
表１
アップ/ダウンの指示組み合わせ            符号語
アップ                                    CW1
ダウン                                    CW2
アップ / アップ                           CW3
アップ / ダウン                           CW4
ダウン / アップ                           CW5
ダウン / ダウン                           CW6
アップ / アップ / アップ                  CW7
アップ / アップ / ダウン                  CW8
アップ / ダウン / アップ                  CW9
アップ / ダウン / ダウン                  CW10
ダウン / アップ / アップ                  CW11
ダウン / アップ / ダウン                  CW12
ダウン / ダウン / アップ                  CW13
ダウン / ダウン / ダウン                  CW14
…
【００２７】
表２は、アップ／ダウンを示す組み合わせと異なる符号語とのマッピングの別の例を示している。
表２
アップ/ダウンの指示組み合わせ            符号語
アップ                                  CW1
ダウン                                  CW2
アップ / アップ                         CW1
アップ / ダウン                         CW2
ダウン / アップ                         CW3
ダウン / ダウン                         CW4
アップ / アップ / アップ                CW1
アップ / アップ / ダウン                CW2
アップ / ダウン / アップ                CW3
アップ / ダウン / ダウン                CW4
ダウン / アップ / アップ                CW5
ダウン / アップ / ダウン                CW6
ダウン / ダウン / アップ                CW7
ダウン / ダウン / ダウン                CW8
…
【００２８】
アップ／ダウンTPCコマンドの組み合わせの規則は、予め定めておくことができ、UE及びノードＢに既知であってよい。ノードＢは自身が用いるキャリアの数を知っているので、アップ／ダウン符号語をどのように解釈すればよいか知っている。
【００２９】
これを図２のフローチャートで説明する。マルチキャリア通信ネットワークシステムにおいて、ダウンリンク電力は以下のステップによって制御される。
ユーザ端末の処理部が、使用されるキャリアの数をチェックする（ステップ２１）
処理部はさらに、使用されるキャリアの数に基づいて、TPCコマンドに予め定められた符号語を割り当てる（ステップ２２）
処理部はさらに、割り当てられた符号語を、パイロットビットに多重化する（ステップ２３）
ユーザ端末の送信部が、TPCコマンドをアップリンク制御チャネル上で送信する（ステップ２４）。
【００３０】
本発明の第２の実施形態によれば、使用されるキャリアの数に基づいて、異なるスロットフォーマットが用いられる。現在の3GPP仕様では、ノーマルモード及び圧縮モードの両方において、UL DPCCH送信用に８つのスロットフォーマットが規定されている。表３に、3GPP技術仕様TS 25.211で規定されているUL DPCCHフィールドを示す。
【００３１】
【表１】
2011520348.tif 000003
【００３２】
マルチキャリアHSPAシステムにおいて、異なる数のTPCコマンドを統合するとともに、ノードＢが用いる異なる数のキャリアを表すために上述のスロットフォーマットを用いることができる。
【００３３】
例えば、１つのDLキャリアが用いられる場合、UEはスロットフォーマット１を用いることができる（レガシUEに対しても同様）。また、２つのDLキャリアが用いられる場合、UEは、６パイロットビットが保持され、２ビットのTFCIフィールドをTPCコマンドの搬送に用いることができるスロットフォーマット０を用いるであろう。３つのDLキャリアが用いられる場合、UEはスロットフォーマット０Ｂか２Ａを用いるであろう。
【００３４】
あるいは、UL DPCCH用に全く新しいスロットフォーマットをいくつか規定することもできる。UEはノードＢが使用するダウンリンクキャリアの数についての情報を有しているので、既存のスロットフォーマットを用いる場合も新たに規定されたスロットフォーマットを用いる場合も、UEは使用されるキャリアの数に応じてスロットフォーマットを動的に選択する。UEは、UEとノードＢとによってサポートされる最大数のダウンリンクキャリアのうち、多くても最小数を用いるように設定されてもよい。UEはまた、自身の最大能力よりも低い最大数のダウンリンクキャリアを用いるように設定されてもよい。設定は、高位レイヤシグナリングを介してネットワークによって行われ、ネットワーク実施アルゴリズムに応じ、実行時にネットワークによって変更される。
【００３５】
スロットフォーマット選択規則は、予め定めておくことができ、UE及びノードＢに既知であってよい。
【００３６】
これを図３のフローチャートで説明する。マルチキャリア通信ネットワークシステムにおいて、ダウンリンク電力は以下のステップによって制御される。
ユーザ端末の処理部が、使用されるキャリアの数をチェックする（ステップ３１）
処理部はさらに、使用されるキャリアの数に基づいてTPCコマンドを統合するために、予め定められたスロットフォーマットを用いる（ステップ３２）
ユーザ端末の送信部が、TPCコマンドをアップリンク制御チャネル上で送信する（ステップ３３）。
【００３７】
本発明の第３の実施形態によれば、第１の実施形態と第２の実施形態とが共に用いられる。例えば、スロットフォーマット０の利用により、TPCコマンドを搬送するための４ビット(NTPC=2, NTFCI=2)の余地が生じる。これら４ビットは４ビットの符号語を生成することができ、その符号語は上述した第１の実施形態に従って規定される。
【００３８】
これを図４のフローチャートで説明する。マルチキャリア通信ネットワークシステムにおいて、ダウンリンク電力は以下のステップによって制御される。
ユーザ端末の処理部は、使用されるキャリアの数をチェックする（ステップ４１）
処理部はさらに、使用されるキャリアの数に基づいてTPCコマンドを統合するために、予め定められたスロットフォーマットを用いる（ステップ４２）
処理部はさらに、使用されるキャリアの数に基づいて、TPCコマンドに予め定められた符号語を割り当てる（ステップ４３）
処理部はさらに、割り当てられた符号語を、パイロットビットに多重化する（ステップ４４）
ユーザ端末の送信部が、TPCコマンドをアップリンク制御チャネル上で送信する（ステップ４５）。
【００３９】
本発明の実施形態によれば、無線インタフェースを介してアップリンク及びダウンリンク上で複数のユーザ端末と通信する通信ネットワークノードを有するマルチキャリア通信ネットワークシステムにおいて、ダウンリンク電力を制御するためのユーザ端末における手順は、複数のダウンリンクキャリアに対する電力制御をサポートするために、少なくともダウンリンク送信電力制御コマンドを少なくとも１つのアップリンク制御チャネル上で送信するステップによって特徴付けられる。
【００４０】
いくつかの実施形態によれば、送信電力制御コマンドの各々は、ユーザ端末及び通信ネットワークノードに既知な、予め定められた符号語を割り当てられる。いくつかの実施形態によれば、符号語の長さは、使用されるダウンリンクキャリア及びアップリンクキャリアの数に依存する。
【００４１】
いくつかの実施形態によれば、ダウンリンク送信電力制御コマンドの送信に複数のアップリンクキャリアが用いられる場合、アップリンクキャリアの各々が少なくとも２つのダウンリンクキャリアをサポートする。
【００４２】
いくつかの実施形態によれば、少なくとも１つのアップリンク制御チャネルにおいて、符号語はパイロットビットと多重化される。
【００４３】
いくつかの実施形態によれば、使用されるダウンリンクキャリア及びアップリンクキャリアの数に基づいて異なる数の送信電力制御コマンドを統合するために、異なる予め定められたスロットフォーマットが用いられ、それにより、予め定められたスロットフォーマットがユーザ端末及び通信ネットワークノードに既知となる。
【００４４】
いくつかの実施形態によれば、スロットフォーマットは、使用されるダウンリンクキャリア及びアップリンクキャリアの数に応じて動的に選択される。
【００４５】
いくつかの実施形態によれば、マルチキャリア通信ネットワークシステムは、CDMA、HSDPA、HSUPA又はHSPA技術に基づいている。
【００４６】
いくつかの実施形態によれば、各送信電力制御コマンドは、ユーザ端末及び通信ネットワークノードに既知な、予め定められた符号語に割り当てられる。また、使用されるダウンリンクキャリア及びアップリンクキャリアの数に基づいて異なる数の送信電力制御コマンドを統合するために、予め定められた異なるスロットフォーマットが用いられ、それによってこの予め定められたスロットフォーマットがユーザ端末及び通信ネットワークノードに既知となる。
【００４７】
図５は、無線インタフェースを通じ、アップリンク及びダウンリンクキャリア上で複数のユーザ端末と通信する通信ネットワークノードを有するマルチキャリア通信ネットワークシステムにおいて、ダウンリンク電力を制御する、ユーザ端末１８および（ノードＢのような）通信ネットワークノード１５を示すブロック図である。
【００４８】
ノードＢ１５は、無線送信器を含んだ送信部５２を有する。ノードＢ１５はさらに、受信器を含んだ受信部５１を有する。送信器５２は無線インタフェースを通じ、ダウンリンクチャネル１６上でユーザ端末１８の受信器５７へデータを送信している。受信器５１は、アップリンクチャネル１７上でユーザ端末１８からデータを受信している。
【００４９】
ユーザ端末１８は、無線送信器を含んだ送信部５６を有する。無線送信器５６は、無線インタフェースを通じ、アップリンクチャネル１７上でノードＢ１５の受信器５１へデータパケットを送信するように構成される。UE１８はさらに、受信器を含んだ受信部５７を有する。受信器５７はダウンリンク１６上でノードB1５の送信器５２から送信されるデータパケットを受信するように構成される。送信部５６はさらに、複数のダウンリンクキャリアに対する電力制御をサポートするために、少なくとも１つのアップリンク制御チャネル上で送信電力制御コマンドを送信するように構成される。
【００５０】
いくつかの実施形態によれば、ユーザ端末は、送信電力制御コマンドの各々に、ユーザ端末及び通信ネットワークノードに既知な、予め定められた符号語を割り当てるように構成される処理部５８を有する。
【００５１】
いくつかの実施形態によれば、処理部５８は、使用されるダウンリンクキャリア及びアップリンクキャリアの数に応じた符号語の長さを与えるように構成される。
【００５２】
いくつかの実施形態によれば、送信部５６がダウンリンク送信電力制御コマンドの送信に複数のアップリンクキャリアを用いるように構成されている場合、アップリンクキャリアの各々は、少なくとも２つのダウンリンクキャリアをサポートするように構成される。いくつかの実施形態によれば、処理部５８はさらに、少なくとも１つのアップリンク制御チャネルにおいて、符号語をパイロットビットと多重化するように構成される。
【００５３】
いくつかの実施形態によれば、処理部５８は、使用されるダウンリンクキャリア及びアップリンクキャリアの数に基づいて異なる数の送信電力制御コマンドを統合するために、異なる予め定められたスロットフォーマットを用いるように構成され、それにより、予め定められたスロットフォーマットがユーザ端末及び通信ネットワークノードに既知となる。
【００５４】
いくつかの実施形態によれば、処理部５８さらに、使用されるダウンリンクキャリア及びアップリンクキャリアの数に応じてスロットフォーマットを動的に選択するように構成される。いくつかの実施形態によれば、処理部５８は、各送信電力制御コマンドに、ユーザ端末及び通信ネットワークノードに既知な、予め定められた符号語を割り当てるように構成される。さらに、使用されるダウンリンクキャリア及びアップリンクキャリアの数に基づいて異なる数の送信電力制御コマンドを統合するために、予め定められた異なるスロットフォーマットを用いるように構成され、それによってこの予め定められたスロットフォーマットがユーザ端末及び通信ネットワークノードに既知となる。
【００５５】
いくつかの実施形態によれば、マルチキャリア通信ネットワークシステムはCDMA、HSDPA、HSUPA、又はHSPA技術に基づいている。
【００５６】
このように、本発明の基本となる新規な特徴を、本発明の好ましい実施形態に適用されたものとして説明並びに指摘してきた。しかし、図示された装置の形態及び詳細、さらにはその動作について、本技術分野の当業者は本発明の精神から離れることなく様々な省略、置換及び変更を行いうることを理解するであろう。例えば、実質的に同じ方法で実質的に同じ機能を実行し、同じ結果を実現する、構成要素及び／又は方法ステップのいかなる組み合わせも、本発明の範囲に包含されることが明確に意図されている。さらに、本発明の開示された形態又は実施形態とともに図示及び／又は説明された構成及び／又は要素及び／又は方法ステップは、設計事項の一般的内容として開示、記述、又は示唆された他の形態又は実施形態と組み合わせることができる。これは、添付の特許請求の範囲によって示されるようにのみ限定されるべきであるという意図である。
【００５７】
本発明の実施形態を説明及び請求するために用いられる、”含む”、”備える”、”組み込む”、”〜からなる”、”有する”、”〜である”といった表現は、非限定的に解釈されること、すなわち、明示的に説明されていない項目、部品又は要素の存在も許容されることが意図されている。単数での言及はまた複数に関するものとしても解釈されるべきであり、その逆もまたしかりである。
【００５８】
添付した請求項における括弧内の数字は請求項の理解を支援するためのものであり、それら請求項によって請求される事項を多少なりとも限定するものとして解釈されるべきものではない。
【図１】
2011520348.tif 000004
【図２】
2011520348.tif 000005
【図３】
2011520348.tif 000006
【図４】
2011520348.tif 000007
【図５】
2011520348.tif 000008
【手続補正書】
【提出日】平成22年1月26日(2010.1.26)
【手続補正１】
【補正対象書類名】明細書
【補正対象項目名】０００６
【補正方法】変更
【補正の内容】
【０００６】
WCDMA及びHSPAシステムは、ダウンリンク電力を制御するための仕組みを利用している。この仕組みでは、ダウンリンク個別チャネル（例えばF-DPCH及び他のR99 DPCH）送信電力を制御するためにTPCコマンドがアップリンク上で送信される。
米国特許第6154659号明細書は、マルチキャリアネットワーク内の基地局の送信電力を制御する従来技術の一例である。この従来技術では、リバースチャネルを通じ、複数のキャリアの各々に対して複数の電力制御コマンドが基地局に送信される。
国際特許出願公開WO 2006/022876パンフレットは別の従来技術の一例である。この従来技術は、通信システム内の端末についての多様なシグナリングを搬送可能な共用シグナリングチャネルを有する多元アクセス通信システムを提示している。端末に対するシグナリングは、リソース割り当てメッセージ、肯定応答および電力制御コマンドなどを含むことができる。
ダウンリンク上で複数のF-DPCHを用いる場合、それらF-DPCHについてどのようにしてアップリンク上でTPCコマンドを搬送するかという問題が生じるであろう。１つの簡単な方法は、アップリンク上の複数のUL個別物理制御チャネル(DPCCH)を用いることであろう。しかし、UEが１つのF-DPCHを用いて１つのキャリアからデータを受信する場合もあれば、複数キャリアからデータを受信する場合もあるため、電力消費や頻繁な物理チャネル設定及び解放といった観点ではコストが高く付くであろう。アップリンクにおいて複数のチャネライゼーション符号にマッピングされる複数のDPCCHを用いることの別の問題点は、アップリンクにおける平均電力／最大電力比(peak to average power ratio)の増加である。その結果、隣接チャネル漏えい比(ACLR)のような無線送信器条件を満たすために、UEに最大電力をさらに削減することを要求するかもしれない。もっと簡単に言えば、複数のDPCCHの利用は、カバレージ損失の原因となるアップリンク電力バックオフの増加を招きうる。
【手続補正２】
【補正対象書類名】明細書
【補正対象項目名】００５６
【補正方法】変更
【補正の内容】
【００５６】
このように、本発明の基本となる新規な特徴を、本発明の好ましい実施形態に適用されたものとして説明並びに指摘してきた。しかし、図示された装置の形態及び詳細、さらにはその動作について、本技術分野の当業者は本発明の精神から離れることなく様々な省略、置換及び変更を行いうることを理解するであろう。これは、添付の特許請求の範囲によって示されるようにのみ限定されるべきであるという意図である。
【手続補正３】
【補正対象書類名】特許請求の範囲
【補正対象項目名】全文
【補正方法】変更
【補正の内容】
【特許請求の範囲】
【請求項１】
無線インタフェースを介してアップリンクキャリア(17)及びダウンリンクキャリア(16)上で複数のユーザ端末(18)と通信する通信ネットワークノード(15)を有するマルチキャリア通信ネットワークシステムにおいてダウンリンク電力を制御するための、ユーザ端末(18)における方法であって、
少なくともダウンリンク送信電力制御コマンドを少なくとも１つのアップリンク制御チャネル上で送信するステップ(24,33,45)を有し、
前記ダウンリンク送信電力制御コマンドは、複数のダウンリンクキャリア(16)の個別の電力制御についての情報を含むことを特徴とする方法。
【請求項２】
送信電力制御コマンドの各々に、前記ユーザ端末(18)及び前記通信ネットワークノード(15)に既知な、予め定められた符号語を割り当てるステップ(22,43)をさらに有することを特徴とする請求項１記載の方法。
【請求項３】
前記符号語の長さが、使用されるダウンリンクキャリア(16)及びアップリンクキャリア(17)の数に依存することを特徴とする請求項２記載の方法。
【請求項４】
前記ダウンリンク送信電力制御コマンドの送信に複数のアップリンクキャリア(17)が用いられる場合、前記アップリンクキャリア(17)の各々は、少なくとも２つのダウンリンクキャリア(16)をサポートすることを特徴とする請求項２記載の方法。
【請求項５】
前記少なくとも１つのアップリンク制御チャネルにおいて、前記符号語をパイロットビットと多重化するステップ(23,44)をさらに有することを特徴とする請求項２記載の方法。
【請求項６】
使用されるダウンリンクキャリア(16)及びアップリンクキャリア(17)の数(21,31,41)に基づいて異なる数の送信電力制御コマンドを統合するために、異なる予め定められたスロットフォーマットを用いるステップ(32,42)をさらに有し、それにより、前記予め定められたスロットフォーマットが前記ユーザ端末(18)及び前記通信ネットワークノード(15)に既知となることを特徴とする請求項１記載の方法。
【請求項７】
前記使用されるダウンリンクキャリア(16)及びアップリンクキャリア(17)の数に応じて、前記スロットフォーマットを動的に選択するステップをさらに有することを特徴とする請求項６記載の方法。
【請求項８】
さらに、
送信電力制御コマンドの各々に、前記ユーザ端末(18)及び前記通信ネットワークノード(15)に既知な、予め定められた符号語を割り当てるステップ(43)と、
使用されるダウンリンクキャリア(16)及びアップリンクキャリア(17)の数(21,31,41)に基づいて異なる数の送信電力制御コマンドを統合するために、異なる予め定められたスロットフォーマットを用いるステップ(42)をさらに有し、それにより、前記予め定められたスロットフォーマットが前記ユーザ端末(18)及び前記通信ネットワークノード(15)に既知となることを特徴とする請求項１記載の方法。
【請求項９】
前記マルチキャリア通信ネットワークシステムが、CDMA技術に基づくことを特徴とする請求項１記載の方法。
【請求項１０】
前記マルチキャリア通信ネットワークシステムが、HSDPA、HSUPA、又はHSPA技術に基づくことを特徴とする請求項１記載の方法。
【請求項１１】
無線インタフェースを介してアップリンクキャリア(17)及びダウンリンクキャリア(16)上で複数のユーザ端末と通信する通信ネットワークノード(15)を有するマルチキャリア通信ネットワークシステムにおいてダウンリンク電力を制御するための、ユーザ端末(18)内の装置であって、
複数のダウンリンクキャリアに対する電力制御をサポートするために、少なくともダウンリンク送信電力制御コマンドを少なくとも１つのアップリンク制御チャネル上で送信する(24,33,45)ように構成される送信手段(56)を有し、
前記ダウンリンク送信電力制御コマンドは、複数のダウンリンクキャリア(16)の個別の電力制御についての情報を含むことを特徴とする装置。
【請求項１２】
送信電力制御コマンドの各々に、前記ユーザ端末(18)及び前記通信ネットワークノード(15)に既知な、予め定められた符号語を割り当てる(22,43)ように構成される処理手段(58)をさらに有することを特徴とする請求項１１記載の装置。
【請求項１３】
前記処理手段(58)が、使用されるダウンリンクキャリア(16)及びアップリンクキャリア(17)の数に応じて前記符号語の長さを与えるように構成されることを特徴とする請求項１２記載の装置。
【請求項１４】
前記送信手段(56)が前記ダウンリンク送信電力制御コマンドの送信に複数のアップリンクキャリア(17)を用いるように構成される場合、前記アップリンクキャリア(17)の各々は、少なくとも２つのダウンリンクキャリア(16)をサポートするように構成されることを特徴とする請求項１２記載の装置。
【請求項１５】
前記処理手段(58)がさらに、前記少なくとも１つのアップリンク制御チャネルにおいて、前記符号語をパイロットビットと多重化する(23,44)ように構成されることを特徴とする請求項１２記載の装置。
【請求項１６】
前記装置が、使用されるダウンリンクキャリア(16)及びアップリンクキャリア(17)の数(21,31,41)に基づいて異なる数の送信電力制御コマンドを統合するために、異なる予め定められたスロットフォーマットを用いる(32,42)ように構成される処理手段(58)をさらに有し、それにより、前記予め定められたスロットフォーマットが前記ユーザ端末(18)及び前記通信ネットワークノード(15)に既知となることを特徴とする請求項１１記載の装置。
【請求項１７】
前記処理手段(58)がさらに、前記使用されるダウンリンクキャリア(16)及びアップリンクキャリア(17)の数に応じて前記スロットフォーマットを動的に選択するように構成されることを特徴とする請求項１６記載の装置。
【請求項１８】
さらに、
送信電力制御コマンドの各々に、前記ユーザ端末(18)及び前記通信ネットワークノード(15)に既知な、予め定められた符号語を割り当て、
使用されるダウンリンクキャリア(16)及びアップリンクキャリア(17)の数に基づいて異なる数の送信電力制御コマンドを統合するために、異なる予め定められたスロットフォーマットを用いる、ように構成される処理手段(58)をさらに有し、それにより、前記予め定められたスロットフォーマットが前記ユーザ端末及び前記通信ネットワークノードに既知となることを特徴とする請求項１１記載の装置。
【請求項１９】
前記マルチキャリア通信ネットワークシステムが、CDMA技術に基づくことを特徴とする請求項１１記載の装置。
【請求項２０】
前記マルチキャリア通信ネットワークシステムが、HSDPA、HSUPA、又はHSPA技術に基づくことを特徴とする請求項１１記載の装置。
【国際調査報告】
2011520348.tif 000009
2011520348.tif 000010
2011520348.tif 000011